(57)【要約】      （修正有）【課題】紫外線による経年劣化を抑制することができる外壁縦目地のシール構造を提供する。【解決手段】止水装置３４は、板ばね構造の支持部材４０と、支持部材４０に保持された弾性シール部材４２とによって構成されている。弾性シール部材４２は、支持部材４０の両側部４０Ｃに保持される基部４２Ａと、両側部４０Ｃからはみ出したはみ出し部４２Ｂとから成る。外壁パネル１６の外壁フレーム１８の端部には凹部３０が形成されており、凹部３０の表面にはパッキン４６が付着されている。組付状態では、両側部４０Ｃの弾性復元力ではみ出し部４２Ｂの両端部が外壁材２０の裏面に圧接され（一次シール）、かつ支持部材４０の両端部４０Ｂがパッキン４６に圧接される（二次シール）ため、縦目地３２を非常に狭くできる。【選択図】図２
0003162454.tif 000002
【実用新案登録請求の範囲】
【請求項１】
外壁縦目地に沿って長尺状に形成されると共に柱における外壁縦目地との対向面に取り付けられ、かつ目地幅方向に張り出した両端部によって左右の外壁パネルの位置決めを成すと共に目地奥行き方向に弾性を有する両側部を備えた板ばね構造とされた支持手段と、
前記支持手段に沿って長尺状に形成されると共に弾性材料によって構成され、更に前記支持手段の両側部によってその内側に保持される基部と、この基部から一体に延出されると共に前記支持手段の両側部間の隙間から縦目地側へはみ出して外壁の裏面に圧接されるはみ出し部と、を含む弾性シール部材と、
を有する外壁縦目地のシール構造。
【請求項２】
前記弾性シール部材は、外壁縦目地に直交する方向に切断したときの平断面形状が略瓢箪形に形成されている、
ことを特徴とする請求項１記載の外壁縦目地のシール構造。
【請求項３】
前記基部の幅方向中央部には、外壁縦目地を構成する外壁パネル間の隙間に屋内側から屋外側へ向けて挿入される突起部が形成されている、
ことを特徴とする請求項１記載の外壁縦目地のシール構造。
【請求項４】
前記外壁における縦目地側の端部には、縦目地側に開口されると共に前記支持手段の目地幅方向の端部が挿入される凹部が形成されており、
当該凹部には当該支持手段の目地幅方向の端部によって押圧されることで弾性変形して二次シールを構成する二次防水手段が設けられている、
ことを特徴とする請求項１〜請求項３のいずれか１項に記載の外壁縦目地のシール構造。
【請求項５】
前記支持手段及び前記弾性シール部材は、予め工場にて柱の屋外側に配置される側面に取り付けられている、
ことを特徴とする請求項１〜請求項４のいずれか１項に記載の外壁縦目地のシール構造。
【考案の詳細な説明】
【技術分野】
【０００１】
本考案は、外壁縦目地のシール構造に関する。
【背景技術】
【０００２】
下記特許文献１には、狭小地において、外壁パネル間の縦目地に長尺材のガスケットを目地上端側から挿入して縦目地に装着する技術が開示されている。
【先行技術文献】
【特許文献】
【０００３】
【特許文献１】特開平０７−０９０９４７号公報
【考案の概要】
【考案が解決しようとする課題】
【０００４】
しかしながら、上記先行技術による場合、ガスケットの装着後の状態でガスケットが縦目地を介して外部に露出されているため、紫外線によってガスケットが経年劣化する不具合がある。このため、ガスケットによるシール状態が適切かどうか定期的にメンテナンスする必要が生じる。
【０００５】
本考案は上記事実を考慮し、紫外線による経年劣化を抑制することができる外壁縦目地のシール構造を得ることが目的である。
【課題を解決するための手段】
【０００６】
請求項１記載の本考案に係る外壁縦目地のシール構造は、外壁縦目地に沿って長尺状に形成されると共に柱における外壁縦目地との対向面に取り付けられ、かつ目地幅方向に張り出した両端部によって左右の外壁パネルの位置決めを成すと共に目地奥行き方向に弾性を有する両側部を備えた板ばね構造とされた支持手段と、前記支持手段に沿って長尺状に形成されると共に弾性材料によって構成され、更に前記支持手段の両側部によってその内側に保持される基部と、この基部から一体に延出されると共に前記支持手段の両側部間の隙間から縦目地側へはみ出して外壁の裏面に圧接されるはみ出し部と、を含む弾性シール部材と、を有している。
【０００７】
請求項２記載の本考案に係る外壁縦目地のシール構造は、請求項１記載の考案において、前記弾性シール部材は、外壁縦目地に直交する方向に切断したときの平断面形状が略瓢箪形に形成されている、ことを特徴としている。
【０００８】
請求項３記載の本考案に係る外壁縦目地のシール構造は、請求項１記載の考案において、前記基部の幅方向中央部には、外壁縦目地を構成する外壁パネル間の隙間に屋内側から屋外側へ向けて挿入される突起部が形成されている、ことを特徴としている。
【０００９】
請求項４記載の本考案に係る外壁縦目地のシール構造は、請求項１〜請求項３のいずれか１項に記載の考案において、前記外壁における縦目地側の端部には、縦目地側に開口されると共に前記支持手段の目地幅方向の端部が挿入される凹部が形成されており、当該凹部には当該支持手段の目地幅方向の端部によって押圧されることで弾性変形して二次シールを構成する二次防水手段が設けられている、ことを特徴としている。
【００１０】
請求項５記載の本考案に係る外壁縦目地のシール構造は、請求項１〜請求項４のいずれか１項に記載の考案において、前記支持手段及び前記弾性シール部材は、予め工場にて柱の屋外側に配置される側面に取り付けられている、ことを特徴としている。
【００１１】
請求項１記載の本考案によれば、柱における外壁縦目地との対向面には板ばね構造の支持手段が取り付けられており、この支持手段の目地幅方向に張り出した両端部によって左右の外壁パネルが位置決めされる。また、この支持手段は目地奥行き方向に弾性を有する両側部を備えており、この両側部の内側に弾性シール部材の基部が保持される。弾性シール部材は基部から一体に延出されて支持手段の両側部間の隙間から縦目地側へはみ出したはみ出し部を備えており、このはみ出し部が外壁の裏面に圧接されるで、一次シールがなされる。なお、支持手段は板ばね構造とされており、両側部の弾性復元力がはみ出し部に作用することにより、高いシール性が確保される。すなわち、外壁の裏面側で高いシール性が確保されることとなり、外壁縦目地にガスケットを挿入する必要がなくなる。換言すれば、弾性シール部材は外壁縦目地の奥側に控えた位置に配置される構造となるため、その分、弾性シール部材は直射日光に晒され難くなる。またこれに伴い、外壁縦目地を従来より狭くすることができるので、この点からも弾性シール部材が直射日光に晒され難くなる。
【００１２】
請求項２記載の本考案によれば、弾性シール部材は、外壁縦目地に直交する方向に切断したときの平断面形状が略瓢箪形に形成されているので、はみ出し部が外壁の裏面に必ず圧接される。従って、はみ出し部によって外壁縦目地が確実に塞がれる。
【００１３】
請求項３記載の本考案によれば、基部の幅方向中央部には突起部が形成されており、この突起部が外壁縦目地を構成する外壁パネル間の隙間に屋内側から屋外側へ向けて挿入される。従って、突起部によっても止水効果が得られる。
【００１４】
請求項４記載の本考案によれば、外壁における縦目地側の端部には凹部が形成されており、この凹部には二次防水手段が設けられている。そして、この二次防水手段に支持手段の目地幅方向の端部が押圧される。これにより、二次防水手段が弾性変形し、二次シールが成される。従って、更に高い止水性能を確保することができる。
【００１５】
請求項５記載の本考案によれば、支持手段及び弾性シール部材は予め工場にて柱の屋外側に配置される側面に取り付けられているので、柱に対する支持手段及び弾性シール部材の取付精度を高めることができる。従って、止水性能の向上を図ることができる。また、建築地において、支持手段及び弾性シール部材を柱に取り付ける必要がないので、施工時間の短縮化ひいては工期の短縮化を図ることができる。
【考案の効果】
【００１６】
以上説明したように、本考案に係る外壁縦目地のシール構造は、紫外線による経年劣化を抑制することができるという優れた効果を有する。
【図面の簡単な説明】
【００１７】
【図１】本実施形態の要部に係る止水装置を示す平断面図である。
【図２】止水装置の組付状態を示す平断面図である。
【図３】止水装置の柱への組付状態を示す正面図である。
【図４】外壁パネルの梁への固定構造を示す縦断面図である。
【図５】変形例に係る止水装置を示す平断面図である。
【図６】参考例に係る止水装置と外壁パネルの端部構造を示す平断面図である。
【図７】組付手順を示す平断面図である。
【考案を実施するための形態】
【００１８】
以下、図１〜図５を用いて、本考案に係る外壁縦目地のシール構造の実施形態について説明する。
【００１９】
図２〜図４に示されるように、基礎１０上には角鋼管とされた複数本の柱１２が立設されており、更に複数本の柱１２の上端部間にはＨ鋼とされた梁１４が直交するように架け渡されて固定されている。また、これらの柱１２及び梁１４で構成される架構面の屋外側には、外壁としての外壁パネル１６が配設されている。外壁パネル１６は、建物躯体に固定するための外壁フレーム１８と、この外壁フレーム１８の屋外側の面にビス等で固定された外壁材２０と、によって構成されている。
【００２０】
外壁パネル１６の外壁フレーム１８は横桟２２と縦桟（間柱）２４とを含んで構成されている。外壁パネル１６は、縦桟２４がアングル状のウォールサポート２６を介して梁１４の下フランジ１４Ａにボルト・ウエルドナット２８で締結固定されている。また、外壁パネル１６の組付状態では、横桟２２の長手方向の端部２２Ａが柱１２の屋外側の面の幅方向端部に配置されている。さらに、横桟２２の長手方向の端部２２Ａの外壁材２０側の部位は平面視で矩形状に切り欠かれて凹部３０を形成している。
【００２１】
上記左右の外壁パネル１６の各横桟２２の長手方向の端部２２Ａは、柱１２の屋外側の面の幅方向両端部に所定の間隔をあけて配置されている。この状態では、左右の外壁材２０間に２〜３ｍｍ程度の隙間が形成されており、この隙間が外壁パネル１６の縦目地３２とされている。そして、柱１２の屋外側の面の幅方向中央部には、本実施形態の要部である止水装置３４が配設されている。
【００２２】
図１に示されるように、止水装置３４は、裏打ち材３６を介してビス３８で柱１２に固定される支持手段としての支持部材４０と、この支持部材４０に保持される弾性シール部材４２と、によって構成されている。支持部材４０は、縦目地３２に沿って長尺状に形成されると共に柱１２の屋外側の側面に対して平行に配置された所定幅の基部４０Ａと、この基部４０Ａの幅方向の両端部４０Ｂから縦目地３２側でかつ互いに接近する方向へ斜めに折り曲げられて形成された両側部４０Ｃと、によって構成されており、板ばね構造とされている。両側部４０Ｃの先端部間には所定幅の隙間が形成されており、即ち両側部４０Ｃの先端部は自由端とされており、このため支持部材４０は開放断面とされている。これにより、支持部材４０には、基部４２Ａと両側部４０Ｃとで囲まれた等脚台形状の保持スペース４４が形成されている。
【００２３】
一方、図２に示されるように、前述した外壁パネル１６の横桟２２の長手方向の端部２２Ａに形成された凹部３０には、止水性を有するウレタンゴム系の二次防水手段としてのパッキン４６が塗布されている。支持部材４０の両端部４０Ｂは、左右のパッキン４６に圧接されている。
【００２４】
上記構成の支持部材４０には弾性シール部材４２が保持されている。弾性シール部材４２は両側部４０Ｃによって支持部材４０の断面内方に保持される基部４２Ａと、両側部４０Ｃ間の隙間を通って縦目地３２側に延出されたはみ出し部４２Ｂと、によって構成されている。弾性シール部材４２を平断面視で見ると、略瓢箪形状を成している。外壁パネル１６が組付けられた状態では、はみ出し部４２Ｂが外壁材２０の裏面に弾性変形した状態で圧接されており、これにより縦目地３２が塞がれている。
【００２５】
以上の構成の止水装置３４は、予め工場にて柱１２の屋外側に配置される側面に取り付けられている。
【００２６】
（作用並びに効果）
次に、本実施形態の作用並びに効果について説明する。
図３に示されるように、外壁パネル１６は、予め工場内で柱１２に取り付けられた止水装置３４の支持部材４０にガイドされながら、梁１４の上方から下方へスライドされることにより、柱１２間に装着される。なお、外壁パネル１６は必ずしも上方からスライドさせなくても、柱１２の側方から左右方向にスライドさせてもよい。外壁パネル１６の装着後、外壁フレーム１８の縦桟２４がウォールサポート２６を介して梁１４に固定される。
【００２７】
外壁パネル１６が固定される過程で、弾性シール部材４２が組付けられた支持部材４０が全体的に屋内方向へ圧縮される。このため、支持部材４０の両側部４０Ｃが基部４０Ａ側へ弾性変形すると共に、弾性シール部材４２の基部４２Ａ及びはみ出し部４２Ｂが圧縮される。これにより、はみ出し部４２Ｂの左右両端部には支持部材４０の両側部４０Ｃの先端部から弾性復元力が作用し、外壁材２０の裏面に強圧される。その結果、一次シールがなされる。さらに、支持部材４０の両端部４０Ｂは横桟２２の凹部３０内に張り出されて、パッキン４６に食い込むようにパッキン４６を押圧している。これにより、二次シールがなされる。
【００２８】
上記より、従来のように外壁パネルの縦目地にガスケットを挿入して縦目地自体を直接的にシールする必要がなくなる。換言すれば、外壁パネル１６の縦目地３２の屋内側に二重シール構造が設定されるので、縦目地３２自体を直接的にシールする必要はなくなる。このため、縦目地３２は外壁パネル１６の組付誤差を吸収できる程度の僅かな隙間として存在していればよく、その分、弾性シール部材４２が直射日光に晒され難くなる。その結果、紫外線による経年劣化を抑制することができる。
【００２９】
また、弾性シール部材４２が平断面形状が略瓢箪形に形成されているので、はみ出し部４２Ｂによって外壁パネル１６の縦目地３２が確実に塞がれる。
【００３０】
さらに、外壁パネル１６の横桟２２の長手方向の端部２２Ａに凹部３０を形成して、凹部３０の表面にパッキン４６を付着させると共に、支持部材４０の両端部４０Ｂをパッキン４６に圧接させたので、両端部４０Ｂとパッキン４６とで二次シールが成される。従って、更に高い止水性能を確保することができる。
【００３１】
また、支持部材４０及び弾性シール部材４２から成る止水装置３４を予め工場内で柱１２の屋外側の面に取り付けたので、柱１２に対する支持部材４０及び弾性シール部材４２の取付精度を高めることができる。従って、止水性能の向上を図ることができる。また、建築地において、支持部材４０及び弾性シール部材４２を柱１２に取り付ける必要がないので、施工時間の短縮化ひいては工期の短縮化を図ることができる。
【００３２】
上述した実施形態では、平断面形状が略瓢箪形状の弾性シール部材４２であったが、これに限らず、他の断面形状のものでもよい。例えば、図５に示されるように、この止水装置５０では、平断面形状が略二等辺三角形状に形成されて支持部材４０に保持される基部５２Ａと、この基部５２Ａの頂点部分に形成されて縦目地３２に挿入される突起部５２Ｂと、によって構成された弾性シール部材５２を用いてもよい。この実施形態でも、支持部材４０の両側部４０Ｃの先端部が外壁材２０の裏面に圧接されて一次シールを成し、両端部４０Ｂがパッキン４６に圧接されて二次シールがなされる。さらに、突起部５２Ｂが縦目地３２に挿入されることで更なる止水効果が得られる。
【００３３】
以下、図６及び図７を用いて、参考例について簡単に説明する。これらの図に示されるように、この参考例では、支持部材４０が単独で用いられており、弾性シール部材４２は用いられていない。従って、止水性能は上述した実施形態よりも劣るが、支持部材４０の両側部４０Ｃの先端部が外壁材２０の裏面に圧接されることで一次シールがなされ、両端部４０Ｂがパッキン４６に圧接されることで二次シールがなされる。
【符号の説明】
【００３４】
１２    柱
１６    外壁パネル（外壁）
３０    凹部
３２    縦目地
４０    支持部材（支持手段）
４０Ｂ  両端部
４０Ｃ  両側部
４２    弾性シール部材
４２Ａ  基部
４２Ｂ  はみ出し部
４６    パッキン（二次防水手段）
５２    弾性シール部材
５２Ｂ  突起部
【図１】
0003162454.tif 000003
【図２】
0003162454.tif 000004
【図３】
0003162454.tif 000005
【図４】
0003162454.tif 000006
【図５】
0003162454.tif 000007
【図６】
0003162454.tif 000008
【図７】
0003162454.tif 000009